(57)【要約】【課題】乗りかごのスピーカからアナウンスするアナウンスデータを簡単に変更できるようにする。【解決手段】エレベータのアナウンス装置において、それぞれ異なるアナウンスデータを格納する複数のアナウンスデータ格納部９、１０と、アナウンスデータ格納部９、１０からアナウンスデータを呼び出し、呼び出したアナウンスデータを乗りかご１に設けられたスピーカ３からアナウンスするアナウンス再生部７と、アナウンス再生部７によりアナウンスデータの呼び出しを行なういずれか一つのアナウンスデータ格納部９（又は、１０）を選択する選択部６と、を備える。【選択図】    図１
2009202993.tif 000002
【特許請求の範囲】
【請求項１】
それぞれ異なるアナウンスデータを格納する複数のアナウンスデータ格納部と、
前記アナウンスデータ格納部から前記アナウンスデータを呼び出し、呼び出した前記アナウンスデータを乗りかごに設けられたスピーカからアナウンスするアナウンス再生部と、
前記アナウンス再生部により前記アナウンスデータの呼び出しを行なういずれか一つの前記アナウンスデータ格納部を選択する選択部と、
を備えることを特徴とするエレベータのアナウンス装置。
【請求項２】
それぞれ異なるアナウンスデータを格納する複数のアナウンスデータ格納部と、
前記アナウンスデータ格納部から前記アナウンスデータを呼び出し、呼び出した前記アナウンスデータを乗りかごに設けられたスピーカからアナウンスするアナウンス再生部と、
前記アナウンス再生部により前記アナウンスデータの呼び出しを行なういずれか一つの前記アナウンスデータ格納部を選択し、選択したいずれか一つの前記アナウンスデータ格納部からの前記アナウンスデータの呼び出しに続けて他の前記アナウンスデータの呼び出しを行う他の前記アナウンスデータ格納部を選択する選択部と、
を備えることを特徴とするエレベータのアナウンス装置。
【請求項３】
少なくとも１つの前記アナウンスデータ格納部に、前記アナウンスデータを書き替え可能に記録する記録媒体が着脱可能に取付けられていることを特徴とする請求項１又は２記載のエレベータのアナウンス装置。
【請求項４】
データ送信部を介して送信される前記アナウンスデータを前記アナウンスデータ格納部に書込むアナウンスデータ書込み部を備えることを特徴とする請求項１又は２記載のエレベータのアナウンス装置。
【請求項５】
前記選択部は、手動により選択の有無を切り替え可能な手動切替スイッチであることを特徴とする請求項１ないし４のいずれか一に記載のエレベータのアナウンス装置。
【請求項６】
前記選択部は、予め設定された時間に自動的に選択の有無を切替えられる自動切替スイッチであることを特徴とする請求項１ないし４のいずれか一に記載のエレベータのアナウンス装置。
【発明の詳細な説明】
【技術分野】
【０００１】
本発明は、エレベータのアナウンス装置に関し、特に、アナウンスデータの変更を容易に行なえるエレベータのアナウンス装置に関する。
【背景技術】
【０００２】
例えば、下記特許文献１に記載されているように、エレベータの乗りかごに設けられたスピーカから様々なアナウンスを行なうエレベータのアナウンス装置が知られている。
【０００３】
このようなアナウンス装置は、アナウンスデータを格納したアナウンスデータ格納部を有し、アナウンスデータ格納部に格納されたアナウンスデータを適宜呼び出してスピーカからアナウンスしている。
【特許文献１】特開平６−８０３３１号公報
【発明の開示】
【発明が解決しようとする課題】
【０００４】
しかしながら、特許文献１に記載されたアナウンス装置においては、アナウンスするアナウンスデータを変更する場合には、変更するアナウンスデータを格納したアナウンスデータ格納部を準備し、準備したアナウンスデータ格納部を今まで使用していたアナウンスデータ格納部と交換するため、アナウンスデータを変更する場合の作業には手間がかかっている。アナウンスデータ格納部としては、例えば、アナウンスデータを記録したＩＣが用いられている。
【０００５】
なお、アナウンスデータを一時的に変更したい場合、例えば、或るホテルにおいて、海外からの客が多い期間に英語のアナウンスを加えたい場合や、天候が悪い日に足元への注意を促すアナウンスを加えたい場合等においても、アナウンスデータ格納部を交換しなければならない。
【０００６】
本発明はこのような課題を解決するためになされたもので、その目的は、乗りかごのスピーカからアナウンスするアナウンスデータを簡単に変更することができるエレベータのアナウンス装置を提供することである。
【課題を解決するための手段】
【０００７】
本発明の実施の形態に係る第１の特徴は、エレベータのアナウンス装置において、それぞれ異なるアナウンスデータを格納する複数のアナウンスデータ格納部と、前記アナウンスデータ格納部から前記アナウンスデータを呼び出し、呼び出した前記アナウンスデータを乗りかごに設けられたスピーカからアナウンスするアナウンス再生部と、前記アナウンス再生部により前記アナウンスデータの呼び出しを行なういずれか一つの前記アナウンスデータ格納部を選択する選択部と、を備えることである。
【０００８】
本発明の実施の形態に係る第２の特徴は、エレベータのアナウンス装置において、それぞれ異なるアナウンスデータを格納する複数のアナウンスデータ格納部と、前記アナウンスデータ格納部から前記アナウンスデータを呼び出し、呼び出した前記アナウンスデータを乗りかごに設けられたスピーカからアナウンスするアナウンス再生部と、前記アナウンス再生部により前記アナウンスデータの呼び出しを行なういずれか一つの前記アナウンスデータ格納部を選択し、選択したいずれか一つの前記アナウンスデータ格納部からの前記アナウンスデータの呼び出しに続けて他の前記アナウンスデータの呼び出しを行う他の前記アナウンスデータ格納部を選択する選択部と、を備えることである。
【発明の効果】
【０００９】
本発明によれば、選択部でアナウンスデータ格納部を選択することにより、乗りかごのスピーカからアナウンスするアナウンスデータを簡単に変更することができる。
【発明を実施するための最良の形態】
【００１０】
以下、本発明の実施の形態を図面を用いて説明する。
【００１１】
（第１の実施の形態）
本発明の第１の実施の形態に係るエレベータのアナウンス装置について、図１ないし図４に基づいて説明する。
【００１２】
図１はエレベータの概略を示す模式図であり、乗りかご１内に、かご内操作盤２とスピーカ３とが設けられている。
【００１３】
かご内操作盤２には、乗りかご１の行き先階床を指示する行先階ボタン４と、かごドア（図示せず）を開閉させる開閉ボタン５と、選択部である切替可能な手動切替スイッチ６とが設けられている。手動切替スイッチ６は、開閉可能なカバーに覆われており、カバーを開閉できる権原を有するエレベータ管理者により切替えられる。
【００１４】
スピーカ３にはアナウンス再生部７が接続され、スピーカ３からはエレベータの運行に関係する各種のアナウンスデータがアナウンスされる。例えば、停止階を案内する「２階です。」、ドアの閉止を案内する「ドアが閉まります。」等のアナウンスが行なわれる。
【００１５】
アナウンス再生部７には、エレベータ制御部８と、アナウンスデータ格納部である第１アナウンスデータ格納部９と、アナウンスデータ格納部である第２アナウンスデータ格納部１０とが接続されている。アナウンス再生部７は、第１アナウンスデータ格納部９に格納されたアナウンスデータ又は第２アナウンスデータ格納部１０に格納されたアナウンスデータを呼び出し、呼び出したアナウンスデータをスピーカ３からアナウンスする。
【００１６】
エレベータ制御部８は、エレベータの運行に関する各種の制御を行う部分であり、例えば、乗りかご１を昇降させる巻上機（図示せず）の駆動等を行なう。また、エレベータ制御部８は、アナウンス再生部７に対して、スピーカ３からアナウンスするアナウンスデータに関係する各種の報知信号を出力する。出力する報知信号としては、例えば、乗りかご１が或る階床に停止したことを報知する停止階報知信号や、乗りかご１のドアが開くことを報知するドア開放報知信号等が含まれる。
【００１７】
第１アナウンスデータ格納部９には、記録媒体９ａが着脱可能に取付けられている。記録媒体９ａには、図３（ａ）に示すように、アナウンスデータのNo.と、そのNo.に対応するアナウンスデータとが記録されている。
【００１８】
第２アナウンスデータ格納部１０には、記録媒体１０ａが着脱可能に取付けられている。記録媒体１０ａには、図３（ｂ）に示すように、アナウンスデータNo.と、そのアナウンスデータNo.に対応するアナウンスデータとが記録されている。
【００１９】
図２は、記録媒体９ａ、１０ａに対してアナウンスデータを書き込む書込装置１１を示すブロック図である。この書込装置１１は、エレベータが設置された建物を管理する管理室等に設置されている。書込装置１１は、アナウンスデータを文字入力する入力部１２と、文字入力されたアナウンスデータを音声のアナウンスデータへ変換する音声データ変換部１３と、音声に変換した後のアナウンスデータを記録媒体９ａ、１０ａに書き込む書込み部１４とにより構成されている。なお、記録媒体９ａ、１０ａは、書込み部１４に対して着脱可能に取付けられている。
【００２０】
手動切替スイッチ６は、手動によりオン・オフの切替（選択の有無の切替）が可能なスイッチである。手動切替スイッチ６がオフの状態に切替えられている場合には、アナウンスデータの呼び出しが行なわれる部分として第１アナウンスデータ格納部９が選択され、第１アナウンスデータ格納部９に取付けられた記録媒体９ａに記録されているアナウンスデータがアナウンス再生部７により呼び出される。一方、手動切替スイッチ６がオンの状態に切替えられている場合には、アナウンスデータの呼び出しが行なわれる部分として第２アナウンスデータ格納部１０が選択され、第２アナウンスデータ格納部１０に取付けられた記録媒体１０ａに記録されているアナウンスデータがアナウンス再生部７により呼び出される。
【００２１】
図４は、スピーカ３からのアナウンスデータのアナウンスについて説明するフローチャートである。ここでは、アナウンスの一例として、乗りかご１が２階に停止し、乗りかご１が２階に停止したことをアナウンスする場合について説明する。
【００２２】
エレベータ制御部８からアナウンス再生部７に対しては、スピーカ３からアナウンスするアナウンス情報に関係する報知信号が適宜出力される。アナウンス再生部７では、エレベータ制御部８から報知信号が入力されたか否かを常時判断している（Ｓ１）。
【００２３】
アナウンス再生部７に報知信号（ここでは、２階の停止階報知信号）が入力された場合には（Ｓ１のＹＥＳ）、アナウンス再生部７は、手動切替スイッチ６の切替状態がオフであるか否かを判断する（Ｓ２）。
【００２４】
手動切替スイッチ６がオフである場合には（Ｓ２のＹＥＳ）、アナウンス再生部７は、入力された２階の停止階報知信号に対応するアナウンスデータを第１アナウンスデータ格納部９から呼び出す（Ｓ３）。この場合に呼び出されるアナウンスデータは、乗りかご１が２階に停止したことを報知する報知信号に対応するNo.２のアナウンスデータであり、スピーカ３からは呼び出したNo.２のアナウンスデータに対応するアナウンスが行なわれる（Ｓ４）。具体的には、「２階です」のアナウンスが行なわれる。
【００２５】
一方、手動切替スイッチ６がオンの場合には（Ｓ２のＮＯ）、アナウンス再生部７は、入力された２階の停止階報知信号に対応するアナウンスデータを第２アナウンスデータ格納部１０から呼び出す（Ｓ５）。この場合に呼び出されるアナウンスデータは、乗りかご１が２階に停止したことを報知する報知信号に対応するNo.２のアナウンスデータであり、スピーカ３からは呼び出したNo.２のアナウンスデータに対応するアナウンスが行なわれる（Ｓ６）。具体的には、「２階に到着しました」のアナウンスが行なわれる。
【００２６】
このような構成において、第１アナウンスデータ格納部９と第２アナウンスデータ格納部１０とに異なるアナウンスデータを格納し、どちらのアナウンスデータをスピーカ３からアナウンスするかを手動切替スイッチ６の切替えにより選択することができる。このため、スピーカ３からアナウンスするアナウンスデータを簡単に変更することかできる。
【００２７】
また、第１アナウンスデータ格納部９には記録媒体９ａが着脱可能に取付けられ、第２アナウンスデータ格納部１０には記録媒体１０ａが着脱可能に取付けられ、これらの記録媒体９ａ、１０ａに対して書込装置１１を用いてアナウンスデータを書き込むことができる。このため、第１・第２アナウンスデータ格納部９、１０に格納されるアナウンスデータの変更を容易に行なうことができる。
【００２８】
なお、第１の実施の形態では、第１アナウンスデータ格納部９と第２アナウンスデータ格納部１０との２つのアナウンスデータ格納部を有するアナウンス装置を例に挙げて説明したが、アナウンスデータ格納部を３つ以上設け、それらのアナウンスデータ格納部のいずれか一つを選択し、選択したアナウンス格納部に格納されているアナウンスデータをスピーカ３からアナウンスする構成としてもよい。例えば、午前用、午後用、夜用の３種類のアナウンスデータを個々に格納した３つのアナウンスデータ格納部を設け、午前、午後、夜のそれぞれの時間帯ごとにアナウンスデータの呼び出しを行うアナウンスデータ格納部を選択するようにしてもよい。
【００２９】
また、第１の実施の形態では、第１アナウンスデータ格納部９と第２アナウンスデータ格納部１０との選択を手動切替スイッチ６を切替えて行なう場合を例に挙げて説明したが、この選択を、自動切替スイッチを用いて予め設定された時間に自動的に行うようにしてもよい。この自動切替スイッチを用いれば、呼び出しを行うアナウンスデータ格納部の選択を時間に応じて確実に行なうことができる。
【００３０】
（第２の実施の形態）
本発明の第２の実施の形態に係るエレベータのアナウンス装置について、図５ないし図７に基づいて説明する。なお、第２の実施の形態及びこれ以降の他の実施の形態において、先行して説明した実施の形態の構成要素と同じ構成要素には同じ符号を付し、重複する説明は省略する。
【００３１】
第２の実施の形態の基本的構成は第１の実施の形態と同じであり、乗りかご１内にはかご内操作盤２とスピーカ３とが設けられている。かご内操作盤２には、行先階ボタン４と、開閉ボタン５と、選択部である手動切替スイッチ２０とが設けられている。
【００３２】
スピーカ３にはアナウンス再生部７が接続され、スピーカ３からはエレベータの運行に関係する各種のアナウンスデータがアナウンスされる。
【００３３】
アナウンス再生部７には、エレベータ制御部８と、アナウンスデータ格納部である第１アナウンスデータ格納部２１と、アナウンスデータ格納部である第２アナウンスデータ格納部２２とが接続されている。
【００３４】
第１アナウンスデータ格納部２１には、記録媒体２１ａが着脱可能に取付けられている。記録媒体２１ａには、図６（ａ）に示すように、アナウンスデータNo.と、そのアナウンスデータNo.に対応するアナウンスデータとが記録されている。
【００３５】
第２アナウンスデータ格納部２２には、記録媒体２２ａが着脱可能に取付けられている。記録媒体２３ａには、図６（ｂ）に示すように、アナウンスデータNo.と、そのアナウンスデータNo.に対応するアナウンスデータとが記録されている。
【００３６】
手動切替スイッチ２０は、手動によりオン・オフの切替（選択の有無の切替）が可能なスイッチである。手動切替スイッチ２０がオフの状態に切替えられている場合には、アナウンスデータの呼び出しが行なわれる部分として第１アナウンスデータ格納部２１が選択され、第１アナウンスデータ格納部２１に取付けられた記録媒体２１ａに記録されているアナウンスデータがアナウンス再生部７により呼び出される。一方、手動切替スイッチ２０がオンの状態に切替えられている場合には、アナウンスデータの呼び出しが行なわれる部分として第１アナウンスデータ格納部２１と第２アナウンスデータ格納部２２とが選択され、第１アナウンスデータ格納部２１に取付けられた記録媒体２１ａに記録されているアナウンスデータの呼び出しに続けて、第２アナウンスデータ格納部２２に取付けられた記録媒体２２ａに記録されているアナウンスデータが呼び出される。
【００３７】
図７は、スピーカ３からのアナウンスデータのアナウンスについて説明するフローチャートである。ここでは、アナウンスの一例として、乗りかご１が２階に停止し、乗りかご１が２階に停止したことをアナウンスする場合について説明する。なお、２階は、「○○展示会場入り口」となっている。
【００３８】
エレベータ制御部８からアナウンス再生部７に対しては、スピーカ３からアナウンスするアナウンス情報に関係する報知信号が適宜出力される。アナウンス再生部７では、エレベータ制御部８から報知信号が入力されたか否かを常時判断している（Ｓ１１）。
【００３９】
アナウンス再生部７に報知信号（ここでは、２階の停止階報知信号）が入力された場合には（Ｓ１１のＹＥＳ）、アナウンス再生部７は、手動切替スイッチ２０の切替状態がオフであるか否かを判断する（Ｓ１２）。
【００４０】
手動切替スイッチ６がオフである場合には（Ｓ１２のＹＥＳ）、アナウンス再生部７は、入力された２階の停止階報知信号に対応するアナウンスデータを第１アナウンスデータ格納部２１から呼び出す（Ｓ１３）。この場合に呼び出されるアナウンスデータは、乗りかご１が２階に停止したことを報知する報知信号に対応するNo.２のアナウンスデータであり、スピーカ３からは呼び出したNo.２のアナウンスデータに対応するアナウンスが行なわれる（Ｓ１４）。具体的には、「２階に到着しました」のアナウンスが行なわれる。
【００４１】
一方、手動切替スイッチ６がオンの場合には（Ｓ１２のＮＯ）、アナウンス再生部７は、入力された２階の停止階報知信号に対応するアナウンスデータを第１アナウンスデータ格納部２１と第２アナウンスデータ格納部２２とから連続して呼び出す（Ｓ１５）。この場合に呼び出されるアナウンスデータは、乗りかご１が２階に停止したことを報知する報知信号に対応するNo.２のアナウンスデータであり、スピーカ３からは呼び出したNo.２のアナウンスデータに対応するアナウンスが連続して行なわれる（Ｓ１６）。具体的には、「２階に到着しました」「○○展示会場入り口です」のアナウンスが連続して行なわれる。
【００４２】
このような構成において、第１アナウンスデータ格納部２１と第２アナウンスデータ格納部２２とに異なるアナウンスデータを格納し、手動切替スイッチ２０の切替えにより、スピーカ３からアナウンスするアナウンスデータを、第１アナウンスデータ格納部２１から呼び出すか、又は、第１アナウンスデータ格納部２１と第２アナウンスデータ格納部２２とから連続して呼び出すかを選択することができる。
【００４３】
このため、スピーカ３からアナウンスするアナウンスデータとして、第１アナウンスデータ格納部２１に格納されたアナウンスデータに対し、必要に応じ、第２アナウンスデータ格納部２２に格納されたアナウンスデータを容易に追加することができる。言い換えると、アナウンスデータの主要な部分を変更せず、付加的なアナウンスデータの追加を容易に行なうことができる。
【００４４】
（第３の実施の形態）
本発明の第３の実施の形態に係るエレベータのアナウンス装置について、図８に基づいて説明する。
【００４５】
第３の実施の形態の基本的構成は第１の実施の形態と同じであり、異なる部分は、第１アナウンスデータ格納部９と第２アナウンスデータ格納部１０とに対してアナウンスデータを格納する構造である。
【００４６】
第１アナウンスデータ格納部９と第２アナウンスデータ格納部１０とには、アナウンスデータ書込み部３１が接続されている。アナウンスデータは、アナウンスデータ書込み部３１でアナウンスデータを第１・第２アナウンスデータ格納部９、１０へ書き込まれ、格納されている。
【００４７】
アナウンスデータ書込み部３１は、データ送信部であるインターネット３２に接続され、インターネット３２には書込装置１１Ａが接続されている。書込装置１１Ａは、エレベータが設置された建物を管理する管理室等に設置されている。書込装置１１Ａは、アナウンスデータを文字入力する入力部１２と、文字入力されたアナウンスデータを音声のアナウンスデータに変換する音声データ変換部１３とを備えている。音声データ変換部１３により変換された音声のアナウンスデータが、インターネット３２を介して送信され、アナウンスデータ書込み部３１により第１アナウンスデータ格納部９又は第２アナウンスデータ格納部１０に書き込まれる。
【００４８】
このような構成において、第１アナウンスデータ格納部９と第２アナウンスデータ格納部１０とに異なるアナウンスデータを格納し、どちらのアナウンスデータをスピーカ３からアナウンスするかを手動切替スイッチ６の切替えにより選択することができる。このため、スピーカ３からアナウンスするアナウンスデータを簡単に変更することかできる。
【００４９】
また、第１アナウンスデータ格納部９と第２アナウンスデータ格納部１０とへのアナウンスデータの書込みは、インターネット３２を介して行うことができる。このため、スピーカ３からアナウンスするアナウンスデータの変更を、手間をかけず短時間で適宜行なうことができる。
【図面の簡単な説明】
【００５０】
【図１】本発明の第１の実施の形態に係るアナウンス装置を備えたエレベータシステムの概略を示す模式図である。
【図２】記録媒体に対してアナウンスデータを書き込む書込装置を示すブロック図である。
【図３】記録媒体に記録されたアナウンスデータのデータ構成を示す説明図である。
【図４】スピーカからのアナウンスデータのアナウンスについて説明するフローチャートである。
【図５】本発明の第２の実施の形態に係るアナウンス装置を備えたエレベータシステムの概略を示す模式図である。
【図６】記録媒体に記録されたアナウンスデータのデータ構成を示す説明図である。
【図７】スピーカからのアナウンスデータのアナウンスについて説明するフローチャートである。
【図８】本発明の第３の実施の形態に係るアナウンス装置を備えたエレベータシステムの概略を示す模式図である。
【符号の説明】
【００５１】
１      乗りかご
３      スピーカ
６      選択部、手動切替スイッチ
７      アナウンス再生部
９      第１アナウンスデータ格納部（アナウンスデータ格納部）
９ａ    記録媒体
１０      第２アナウンスデータ格納部（アナウンスデータ格納部）
１０ａ    記録媒体
２０      選択部、手動切替スイッチ
３１      アナウンスデータ書込み部
３２      インターネット（データ送信部）
【図１】
2009202993.tif 000003
【図２】
2009202993.tif 000004
【図３】
2009202993.tif 000005
【図４】
2009202993.tif 000006
【図５】
2009202993.tif 000007
【図６】
2009202993.tif 000008
【図７】
2009202993.tif 000009
【図８】
2009202993.tif 000010